(57)【要約】【課題】放電灯点灯装置として入力電流に休止期間が存在するものを用いながらも、トライアックのパルストリガ制御による放電灯点灯装置への給電のオンオフが可能な照明装置、並びに、該照明装置を用いた照明器具を提供する。【解決手段】照明装置１は、放電灯を点灯させる放電灯点灯装置２への給電をオンオフするトライアックＴＲと、放電灯点灯装置２に並列に接続された第二照明負荷３とを備える。放電灯点灯装置２に入力電流が流れるべきタイミングでは第二照明負荷３に電流が流れることによりトライアックＴＲのオン状態が確保されるから、トライアックＴＲのパルストリガ制御による給電のオンオフが可能である。【選択図】図１
2008243501.tif 000002
【特許請求の範囲】
【請求項１】
放電灯を点灯させている間にも入力電流が流れない休止期間が存在するインバータ式の放電灯点灯装置と、放電灯点灯装置への交流電源からの給電路に挿入されたトライアックと、トライアックのゲートにパルス信号を入力することによりトライアックをオンさせる制御回路と、放電灯点灯装置に並列に接続されて少なくとも制御回路がトライアックのゲートにパルス信号を入力してから放電灯点灯装置の休止期間が終了するまでの期間にはトライアックの保持電流以上の電流が流れる保持用負荷とを備えることを特徴とする照明装置。
【請求項２】
保持用負荷としての白熱灯を備えることを特徴とする請求項１記載の照明装置。
【請求項３】
保持用負荷として、発光ダイオードと、発光ダイオードを点灯させる直流電源を交流電源から生成する直流電源部とからなる照明負荷を備えることを特徴とする請求項１記載の照明装置。
【請求項４】
直流電源部は、発光ダイオードに直列に接続されたコンデンサを有することを特徴とする請求項３記載の照明装置。
【請求項５】
請求項１〜４のいずれかに記載の照明装置と、放電灯を点灯させている間にも電流が流れない期間が存在し照明装置の保持用負荷に並列に接続された放電灯点灯装置と、放電灯点灯装置によって点灯される放電灯と、放電灯点灯装置と放電灯と照明装置とをそれぞれ保持する器具本体とを備えることを特徴とする照明器具。
【請求項６】
照明装置は、白熱電球の口金を電気的かつ機械的に接続可能な形状であってトライアックを介して給電されるソケットを有し、
放電灯点灯装置は、照明装置のソケットに電気的かつ機械的に接続される口金に一体化され、該口金を介して給電されることを特徴とする請求項５記載の照明器具。
【発明の詳細な説明】
【技術分野】
【０００１】
本発明は、照明装置及び該照明装置を用いた照明器具に関するものである。
【背景技術】
【０００２】
従来から、図１２に示すように、交流電源ＡＣから照明負荷７への給電をオンオフするトライアックＴＲと、トライアックＴＲをオンオフ制御するトリガ回路５とを備える照明装置が提供されている。
【０００３】
また、照明負荷７としては、図１３に示すように、例えばガラスのような透光性を有する材料からなるバルブ部７１と、白熱電球と同様の例えばＪＩＳ  Ｃ  ７７０９に規定されたＥ２６型の口金７２ａが設けられバルブ部７１が連結された本体部７２とを有し、バルブ部７１に二重らせん形状の放電灯Ｌａを収納されるとともに、本体部７２には口金７２ａを介して電源を供給され放電灯Ｌａに交流電力を供給して点灯させる放電灯点灯装置２が収納されたものが提供されている（例えば、特許文献１参照）。この種の照明負荷７は、光源として放電灯Ｌａを使用することにより白熱電球よりも長寿命としながらも、白熱電球に置換可能となっている。
【０００４】
放電灯点灯装置２は、例えば、図１４に示すように、アクロスザラインコンデンサＣｘとチョークコイルＬｃとからなるフィルタ回路２１と、フィルタ回路２１を介して交流電源ＡＣから供給された交流電力を全波整流するダイオードブリッジＤＢとダイオードブリッジＤＢの出力を平滑する平滑コンデンサＣ０とからなる直流電源回路２２と、平滑コンデンサＣ０を電源として放電灯Ｌａに交流電力を供給するインバータ回路２３とからなる。
【０００５】
インバータ回路２３は、平滑コンデンサＣ０の両端間に直列に接続された２個のスイッチング素子Ｑａ，Ｑｂと、高電圧側のスイッチング素子Ｑａの両端間に放電灯Ｌａに直列に接続される直流阻止用のコンデンサＣｓ及び共振用のインダクタＬｓと、放電灯Ｌａの各フィラメントにおいてスイッチング素子Ｑａに接続されていない側の一端間に接続された予熱兼共振用のコンデンサＣｐとを備え、スイッチング素子Ｑａ，Ｑｂが交互にオンオフされることによって放電灯Ｌａに交流電力を供給する周知のハーフブリッジ形の回路である。
【０００６】
各スイッチング素子Ｑａ，Ｑｂはそれぞれ例えば電界効果トランジスタからなる。高電圧側のスイッチング素子ＱａがＮチャネル形であって低電圧側のスイッチング素子ＱｂがＰチャネル形となっており、各スイッチング素子Ｑａ，Ｑｂはベース同士が互いに接続されている。そして、インバータ回路２３は、各スイッチング素子Ｑａ，Ｑｂのベースの電位を振動させることによりスイッチング素子Ｑａ，Ｑｂを交互にオンオフする駆動回路２３ａを有する。駆動回路２３ａは、低電圧側のスイッチング素子Ｑｂの両端間に接続されたコンデンサＣ７と抵抗Ｒ１１との並列回路と、各スイッチング素子Ｑａ，Ｑｂのベースと平滑コンデンサＣ０の高電圧側の端子との間に接続された抵抗Ｒ１２と、各スイッチング素子Ｑａ，Ｑｂのベースとスイッチング素子Ｑａ，Ｑｂの接続点との間に接続された２個のインダクタＬ１，Ｌ２とコンデンサＣ８との直列回路と、２個のインダクタＬ１，Ｌ２の直列回路に並列に接続されたコンデンサＣ９と、互いのカソードを付き合わせる形でコンデンサＣ９に並列に接続された２個のツェナーダイオードＺＤ１，ＺＤ２と、ツェナーダイオードＺＤ１，ＺＤ２同士の接続点とスイッチング素子Ｑａ，Ｑｂ同士の接続点との間に接続された抵抗Ｒ１３とを備える。
【特許文献１】特開平１１−１１１４８６号公報
【発明の開示】
【発明が解決しようとする課題】
【０００７】
ところで、トライアックＴＲは所定の保持電流以上の電流が流れている限りはオン状態が維持されるので、照明負荷７が白熱電球であって点灯中に保持電流以上の電流が流れ続ける場合には、トライアックをオンさせるトリガを間欠的なパルス状とする制御（以下、「パルストリガ制御」と呼ぶ。）を行うことができる。トライアックをパルストリガ制御すると、トライアックのオン期間中にトリガを入力し続ける制御（以下、「連続トリガ制御」と呼ぶ。）を行う場合に比べ、消費電力を低減することができ、また、トリガ回路５の回路構成を単純とすることができる。
【０００８】
しかし、図１４の放電灯点灯装置２の直流電源回路２２はコンデンサインプット型の全波整流平滑回路であって、放電灯点灯装置２に入力電流が流れるのは平滑コンデンサＣ０に充電される期間のみであるため、図１５に示すように、入力電流が流れない期間（以下、「休止期間」と呼ぶ。）が発生する。従って、図１２のようにトライアックＴＲを用いて給電をオンオフした場合であってトライアックＴＲをパルストリガ制御した場合、パルスとパルスとの間、放電灯点灯装置２に入力電流が流れない上記の休止期間でトライアックがオフしてしまい、放電灯点灯装置２に入力電流が流れるべきタイミングでトライアックのオン状態が確保できない可能性がある。
【０００９】
上記のような場合にトライアックのオン状態を確保する方法として、放電灯点灯装置２に常に入力電流が流れるように放電灯点灯装置２の回路を構成するという方法が考えられるが、この方法では放電灯点灯装置２の回路部品の個数が多くなって照明負荷７が大型化しやすい上に製造コストが増大してしまう。
【００１０】
トライアックのオン状態を確保する別の方法としては、放電灯点灯等装置２の入力電流が立ち上がるタイミングにパルスのタイミングを合わせるという方法が考えられるが、この場合は放電灯点灯装置２に突入電流が発生してしまう。
【００１１】
本発明は、上記事由に鑑みて為されたものであり、その目的は、放電灯点灯装置として入力電流に休止期間が存在するものを用いながらも、トライアックのパルストリガ制御による放電灯点灯装置への給電のオンオフが可能な照明装置、並びに、該照明装置を用いた照明器具を提供することにある。
【課題を解決するための手段】
【００１２】
請求項１の発明は、放電灯を点灯させている間にも入力電流が流れない休止期間が存在するインバータ式の放電灯点灯装置と、放電灯点灯装置への交流電源からの給電路に挿入されたトライアックと、トライアックのゲートにパルス信号を入力することによりトライアックをオンさせる制御回路と、放電灯点灯装置に並列に接続されて少なくとも制御回路がトライアックのゲートにパルス信号を入力してから放電灯点灯装置の休止期間が終了するまでの期間にはトライアックの保持電流以上の電流が流れる保持用負荷とを備えることを特徴とする。
【００１３】
この発明によれば、放電灯点灯装置として入力電流に休止期間が存在するものを用いながらも、制御回路がトライアックのゲートにパルス信号を入力してから放電灯点灯装置の休止期間が終了するまでの期間には保持用負荷に流れる電流によりトライアックのオン状態が確保されるから、トライアックのパルストリガ制御による放電灯点灯装置への給電のオンオフが可能である。
【００１４】
請求項２の発明は、請求項１の発明において、保持用負荷としての白熱灯を備えることを特徴とする。
【００１５】
この発明によれば、保持用負荷によって消費される電力が光に変換されて有効利用される。また、放電灯が点灯するよりも先に、白熱灯による照明を得ることができる。
【００１６】
請求項３の発明は、請求項１の発明において、保持用負荷として、発光ダイオードと、発光ダイオードを点灯させる直流電源を交流電源から生成する直流電源部とからなる照明負荷を備えることを特徴とする。
【００１７】
この発明によれば、保持用負荷によって消費される電力が光に変換されて有効利用される。また、放電灯が点灯するよりも先に、発光ダイオードによる照明を得ることができる。さらに、請求項２の発明に比べ、消費電力が低減される上に、寿命が長くなって信頼性が向上する。
【００１８】
請求項４の発明は、請求項３の発明において、直流電源部は、発光ダイオードに直列に接続されたコンデンサを有することを特徴とする。
【００１９】
この発明によれば、コンデンサにより発光ダイオードに流れる電流が限流されるから、コンデンサを設けない場合に比べ、消費電力が低減される上に発光ダイオードの寿命が延長される。
【００２０】
請求項５の発明は、請求項１〜４のいずれかに記載の照明装置と、放電灯を点灯させている間にも電流が流れない期間が存在し照明装置の保持用負荷に並列に接続された放電灯点灯装置と、放電灯点灯装置によって点灯される放電灯と、放電灯点灯装置と放電灯と照明装置とをそれぞれ保持する器具本体とを備えることを特徴とする。
【００２１】
請求項６の発明は、請求項５の発明において、照明装置は、白熱電球の口金を電気的かつ機械的に接続可能な形状であってトライアックを介して給電されるソケットを有し、放電灯点灯装置は、照明装置のソケットに電気的かつ機械的に接続される口金に一体化され、該口金を介して給電されることを特徴とする。
【００２２】
この発明によれば、白熱電球と放電灯点灯装置とを置換可能となる。
【発明の効果】
【００２３】
請求項１の発明は、放電灯点灯装置に並列に接続されて少なくとも制御回路がトライアックのゲートにパルス信号を入力してから放電灯点灯装置の休止期間が終了するまでの期間にはトライアックの保持電流以上の電流が流れる保持用負荷を備えるので、放電灯点灯装置として入力電流に休止期間が存在するものを用いながらも、上記期間には保持用負荷に流れる電流によりトライアックのオン状態が確保されるから、放電灯点灯装置の構成によらず、トライアックのパルストリガ制御による放電灯点灯装置への給電のオンオフが可能である。
【００２４】
請求項２の発明は、保持用負荷によって消費される電力が光に変換されて有効利用される。また、放電灯が点灯するよりも先に、保持用負荷としての白熱灯による照明を得ることができる。
【００２５】
請求項３の発明は、保持用負荷によって消費される電力が光に変換されて有効利用される。また、放電灯が点灯するよりも先に、保持用負荷が有する発光ダイオードによる照明を得ることができる。さらに、請求項２の発明に比べ、消費電力が低減される上に、寿命が長くなって信頼性が向上する。
【００２６】
請求項４の発明は、直流電源部が、発光ダイオードに直列に接続されたコンデンサを有するので、コンデンサにより発光ダイオードに流れる電流が限流されるから、コンデンサを設けない場合に比べ、消費電力が低減される上に発光ダイオードの寿命が延長される。
【００２７】
請求項６の発明は、放電灯点灯装置が、照明装置が有して白熱電球を取付可能なソケットに電気的かつ機械的に接続される口金に一体化され、該口金を介して給電されるので、白熱電球と放電灯点灯装置とを置換可能となる。
【発明を実施するための最良の形態】
【００２８】
以下、本発明を実施するための最良の形態について、図面を参照しながら説明する。
【００２９】
（実施形態１）
本実施形態の照明装置１は、図２に示すように、放電灯Ｌａを点灯させるインバータ式の放電灯点灯装置２と、放電灯点灯装置２に並列に接続された保持用負荷としての第二照明負荷３と、交流電源ＡＣから放電灯点灯装置２への給電をオンオフする負荷駆動部４と、負荷駆動部４を制御する制御部５１と、制御部５１の電源を生成する制御電源部５２と、放電灯Ｌａによって照明される範囲における人体を検知する人体センサ部５３と、放電灯Ｌａの周囲の明るさを検出する照度センサ部５４とを備える。
【００３０】
放電灯点灯装置２は、図１３に示した従来例と同様に、ランプＬａに一体化されて電球型の照明負荷７を構成している。放電灯点灯装置２の構成は従来例と共通であるので、詳細な説明及び図示は省略する。
【００３１】
第二照明負荷３は、例えばバルブへの銀の蒸着により配光用の反射膜が形成された比較的小型の白熱電球（いわゆるミニレフ電球）からなる。
【００３２】
人体センサ部５３は例えば人体から放射される赤外線を検出する焦電センサ（図示せず）を有し、焦電センサの出力に基づいて人体の存在を検知する。
【００３３】
照度センサ部５４は例えばフォトＩＣダイオードからなり、周囲が明るいほど電圧値の高い電圧信号を出力する。
【００３４】
図３を用いて制御部５１の動作を説明する。制御部５１は、照度センサ部５４の出力電圧が所定の閾値Ｖｔｈを上回っているとき、すなわち周囲がある程度明るいときには、図３に示すタイミングａ，ｂのように、人体センサ部５３によって人体の存在が検知されても負荷駆動部４をオフ状態のまま維持して放電灯Ｌａも第二照明負荷３も点灯させない。一方、照度センサ部５４の出力電圧が上記の閾値Ｖｔｈを下回っていて且つ放電灯Ｌａも第二照明負荷３も点灯していないときに人体センサ部５３によって人体の存在が検知されると、図３に示すタイミングｃのように、負荷駆動部４をオンして放電灯Ｌａと第二照明負荷３とをそれぞれ点灯させる。但し、放電灯Ｌａの始動には所定の時間Ｔ１がかかるため、放電灯Ｌａが点灯するタイミングｄは第二照明負荷３が点灯するタイミングｃよりも上記時間Ｔ１だけ遅れる。また、制御部５１は、負荷駆動部４をオンした後、人体センサ部５３によって人体の存在が検知されなくなってからの無人時間を計時する。この無人時間は、人体センサ部５３によって人体の存在が検知される度にリセットされる。そして、無人時間が所定の遅れ時間Ｔ２に達したとき、すなわち人体センサ部５３によって人体の存在が検知されなくなってから遅れ時間Ｔ２が経過したタイミングｅで、負荷駆動部４をオフして放電灯Ｌａと第二照明負荷３とをそれぞれ消灯させる。
【００３５】
また、図２では図示を省略しているが、図１に示すように、交流電源ＡＣから制御電源部５２への給電路には、ヒューズＦＵとフィルタ用のインダクタＬｆとがそれぞれ直列に接続されるとともに、サージ吸収素子ＺＮＲとフィルタ用のコンデンサＣｆとがそれぞれ並列に接続されている。図１では、人体センサ部５３及び照度センサ部５４の図示を省略している。
【００３６】
制御電源部５２は、両端がそれぞれ交流電源ＡＣに接続された突入電流防止用の第１の抵抗Ｒ１と例えばフィルムコンデンサからなる第１のコンデンサＣ１と第１のダイオードＤ１との直列回路と、第１のダイオードＤ１に並列に接続された第２のダイオードＤ２と第２のコンデンサＣ２との直列回路と、第２のコンデンサＣ２に並列に接続された第２の抵抗Ｒ２とツェナーダイオードＺＤとの直列回路と、ツェナーダイオードＺＤに並列に接続された第３のコンデンサＣ３とを有する。第１のダイオードＤ１はアノードが第１のコンデンサＣ１に接続されるとともにカソードが交流電源ＡＣに接続され、第２のダイオードＤ２はアノードが第２のコンデンサＣ２に接続されるとともにカソードが第１のダイオードＤ１と第１のコンデンサＣ１との接続点に接続され、ツェナーダイオードＺＤはアノードが第２の抵抗Ｒ２に接続されるとともにカソードが交流電源ＡＣに対し第１のダイオードＤ１と同じ側に接続されている。つまり、ツェナーダイオードＺＤのツェナー電圧により、直流電圧が生成される。
【００３７】
また、制御電源部５２は、交流電源ＡＣのゼロクロス点を検出するゼロクロス検出回路５２ａを含んでいる。ゼロクロス検出回路５２ａは、アノードが交流電源ＡＣに接続された整流ダイオードＤ３と、ベースが抵抗Ｒ３を介して整流ダイオードＤ３のカソードに接続されたＮＰＮ形のトランジスタＱ１と、トランジスタＱ１のベース−エミッタ間に接続された抵抗Ｒ４とコンデンサＣ４との並列回路とを備える。つまり、交流電源ＡＣの出力電圧が整流ダイオードＤ３で整流されて抵抗Ｒ３，Ｒ４で分圧されコンデンサＣ４で平滑されてトランジスタＱ１のベースに入力されている。また、トランジスタＱ１のコレクタは抵抗Ｒ５を介して直流電源に接続され、この抵抗Ｒ５とトランジスタＱ１との接続点が制御部５１に接続されている。すなわち、ゼロクロス検出回路５２ａは、交流電源ＡＣの出力電圧が所定の電圧を上回っている間はトランジスタＱ１がオンされることにより出力がＬレベルとなり、入力された電圧が所定の電圧を下回ったときにトランジスタＱ１がオフされることにより出力がＨレベルとなるのであり、交流電源ＡＣのゼロクロス点付近で出力が反転するものである。図４に示すように、出力がＬレベルからＨレベルに転じるタイミングｆは対応するゼロクロスのタイミングｇよりも僅かに前となり、出力がＨレベルからＬレベルに転じるタイミングｍは対応するゼロクロスのタイミングｌよりも僅かに後となる。
【００３８】
負荷駆動部４は、交流電源ＡＣから放電灯点灯装置２と第二照明負荷３との並列回路への給電路に挿入されたトライアックＴＲと、エミッタがトライアックＴＲのゲートに接続されコレクタが抵抗Ｒ６を介してグランドに接続されたＰＮＰ形のトランジスタＱ２とを備える。トランジスタＱ２のベースは、抵抗Ｒ７を介して制御部５１に接続されるとともに、抵抗Ｒ８を介してエミッタに接続されている。また、トライアックＴＲのカソードとトランジスタＱ２のエミッタとの間には、抵抗Ｒ９とコンデンサＣ５との並列回路が接続されている。
【００３９】
以下、図３に示したタイミングｃからタイミングｅにかけてのようにトライアックＴＲがオンされる期間における制御部５１と負荷駆動部４との動作について、図４を用いて説明する。制御部５１は、通常は負荷駆動部４への出力をＨレベルとし、ゼロクロス検出回路５２ａの出力がＬレベルからＨレベルに反転したタイミングｆから、所定の位相時間Ｔ３（例えば１ミリ秒）後のタイミングｈからパルス時間Ｔ４（例えば１００マイクロ秒）後のタイミングｉにかけて出力をパルス状にＬレベルとする。これにより、負荷駆動部４のトランジスタＱ２がオンされ、トライアックＴＲはゲートトリガ電流が流れることによりオンされる。このオン直後には放電灯点灯装置２には電流は流れないが、抵抗性負荷である白熱電球からなる第二照明負荷３には正弦波状の電流が流れ、この電流によって上記パルス時間Ｔ４の経過後もトライアックＴＲはオン状態に維持されるように第二照明負荷３のワット数は選択されている。本実施形態の場合、電源の周波数は６０Ｈｚであって、ゼロクロスのタイミングｇから制御部５１の出力がＨレベルに戻るタイミングｉまでの時間は略６００マイクロ秒であることにより、制御部５１の出力がＨレベルに戻るときの位相角は略１３°となっており、第二照明負荷３を２０Ｗ以上とすればトライアックＴＲのオン状態を維持するために必要な略５０ｍＡの保持電流が確保されるようになっている。なお、位相時間Ｔ３は上記のように１ミリ秒に限られず例えば１．５ミリ秒としてもよく、この場合は、パルスの終了時のタイミングｉにおいて位相角は略２４°となり第二照明負荷３は１０Ｗ以上であれば保持電流を確保することができ、消費電力を低減することができる。
【００４０】
上記構成によれば、放電灯点灯装置２として入力電流に休止期間が存在するものを用いながらも、放電灯点灯装置２の入力電流が立ち上がるタイミングｅでのトライアックＴＲのオン状態が確保されることにより、トライアックＴＲのパルストリガ制御によるオンオフが可能となっている。また、トライアックＴＲを連続トリガ制御する場合に比べ、負荷駆動部４を製造コストの低い比較的に単純な構成とすることができる上に、消費電力が低減される可能性がある。
【００４１】
（実施形態２）
本実施形態の基本構成は実施形態１と共通であるので、共通する部分については図示並びに詳細な説明を省略する。
【００４２】
本実施形態は、第二照明負荷３を、図５（ａ）（ｂ）に示すように、発光ダイオードで構成された発光回路３０と、発光回路３０に直流電力を供給する直流電源回路３１とで構成したものである。
【００４３】
図５（ａ）（ｂ）のそれぞれにおいて、発光回路３０の一端には突入電流防止用の抵抗Ｒ１０が直列に接続され、発光回路３０の他端には例えばフィルムコンデンサからなる限流用のコンデンサＣ６が直列に接続されている。
【００４４】
図５（ａ）の例では、発光回路３０を構成する全ての発光ダイオードが直列に接続されており、直流電源回路３１は、交流電力を全波整流して抵抗Ｒ１０と発光回路３０とコンデンサＣ６との直列回路に入力するダイオードブリッジＤＢ１を有する。
【００４５】
一方、図５（ｂ）の例では、直流電源回路３１にダイオードブリッジＤＢ１が設けられていない代わりに、発光ダイオードの半数ずつの直列回路が互いに逆並列に接続されて発光回路３０が構成されている。すなわち、図５（ｂ）の例では、発光回路３０を構成する発光ダイオードの半数ずつが交互に点灯する。
【００４６】
また、本実施形態においても、図６（ａ）（ｂ）に示すように、発光回路３０を構成する各発光ダイオードをそれぞれ例えば白熱電球と同様のＥ１７型の口金３２ａが設けられた器体３２に露設するともに、この器体３２に直流電源回路３１を収納すれば、第二照明負荷３として本実施形態のように発光ダイオードを用いたものと実施形態１のような白熱電球とを相互に置換可能となる。
【００４７】
本実施形態のように発光ダイオードを用いた場合、実施形態１のように第２照明負荷３として白熱電球を用いる場合に比べて第二照明負荷３に流れる電流は少なくなるが、図７に示すように、第二照明負荷３に設けられたコンデンサＣ６のために入力電流の位相が入力電圧の位相（すなわち交流電源ＡＣの位相）よりも進んでいることにより、図８に示すようにトライアックＴＲがパルスによってオンされるタイミングｈから放電灯点灯装置２の入力電流が立ち上がるタイミングｊまでの期間は第二照明負荷３の入力電流のピークを含んでいる。これにより、本実施形態では、第二照明負荷３の入力電流の実効値を比較的に低くして第二照明負荷３の消費電力を抑えながらも、必要な期間にはトライアックＴＲに流れる電流を確保している。また、放電灯点灯装置２の入力電流が休止期間に入ったタイミングｋから再びトライアックＴＲがパルスによってオンされるタイミングｍまではトライアックＴＲはオフされている。
【００４８】
本実施形態のように発光ダイオードを用いれば、白熱灯を用いる場合に比べ、消費電力が低減される上に、寿命が延びることにより寿命切れによる動作不良が発生しにくいから保持用負荷としての信頼性が向上するという利点がある。さらに、本実施形態では、直流電源回路３１にコンデンサＣ６を設けたことにより、発光回路３０への電気的ストレスが低減されて寿命が延長されている。
【００４９】
実施形態１及び本実施形態は、それぞれ図９に示すような照明器具６に用いることができる。この照明器具６は、図１０に示すように玄関先等の屋外に設置されるものであって、下端部が地中に埋設される柱状の本体部６１と、上方から見た寸法形状が本体部６１よりも大きく本体部６１の上側に連結されて照明負荷７が収納された光源収納部６２とを有する。光源収納部６２の前後左右の４面には、それぞれ例えばガラスのような透光性を有する材料が嵌め込まれることにより、放電灯Ｌａの光を通過させる窓部６２ａが設けられている。負荷駆動部４と、制御部５１と、制御電源部５２とがそれぞれ実装されたプリント配線板（図示せず）は、本体部６１の上端部に収納されている。また、照明負荷７が取り付けられるソケット６３は、本体部６１の上端に設けられている。さらに、第二照明負荷３が取り付けられるソケット（図示せず）は、本体部６１の上端部に保持されて向きが可変な灯具（図示せず）内に設けられている。また、人体センサ部５３及び照度センサ部５４は、それぞれ、本体部６１の上端部において第二照明負荷３が取り付けられる灯具の下側に取り付けられたセンサ収納部６４に収納されている。センサ収納部６４は透光性を有する材料からなり、人体センサ部５３に入射する赤外線や照度センサ部５４に入射する可視光が通過するようになっている。
【００５０】
なお、実施形態１及び本実施形態において、保持用負荷としては第二照明負荷３以外の例えば抵抗性負荷であってもトライアックＴＲのオン状態を確保することはできるが、実施形態１や本実施形態のように照明負荷を用いれば、保持用負荷の消費電力を光として有効に利用することができ、また、放電灯Ｌａよりも先に第二照明負荷３が点灯することにより速やかに照明を得ることができる。特に、人体を検知して放電灯Ｌａや第二照明負荷３を点灯させる実施形態１や本実施形態のような用途では、上記のような応答速度の向上により防犯の効果が高まるから望ましい。
【００５１】
また、実施形態１及び本実施形態のそれぞれにおいて、第二照明負荷３の口金の形状としては、上記のようなねじ込み型に限られず、図１１（ａ）に示すピン型や、図１１（ｂ）に示すバヨネット締結型など、他の周知の構造に変更してもよい。また、照明負荷７の口金の形状も同様である。
【図面の簡単な説明】
【００５２】
【図１】本発明の実施形態１を示す回路ブロック図である。
【図２】同上を示すブロック図である。
【図３】同上の動作を示す説明図である。
【図４】同上において放電灯がオンされる期間の動作を示す説明図である。
【図５】（ａ）（ｂ）はそれぞれ本発明の実施形態２における第二照明負荷を示す回路図であり、（ａ）（ｂ）は互いに異なる例を示す。
【図６】（ａ）（ｂ）はそれぞれ同上の第二照明負荷を示し、（ａ）は平面図、（ｂ）は右側面図である。
【図７】同上の第二照明負荷における入力電圧と入力電流との関係を示す説明図である。
【図８】同上において放電灯がオンされる期間の動作を示す説明図である。
【図９】同上を用いた照明器具の例を示す正面図である。
【図１０】図９の照明器具の使用形態を示す説明図である。
【図１１】（ａ）（ｂ）はそれぞれ第二照明負荷の口金の形状の別の例を示す正面図であり、（ａ）（ｂ）は互いに異なる例を示す。
【図１２】照明器具の構成の例を示す回路ブロック図である。
【図１３】照明負荷の例を示す正面図である。
【図１４】放電灯点灯装置の例を示す回路図である。
【図１５】図１４の放電灯点灯装置における入力電圧と入力電流との関係を示す説明図である。
【符号の説明】
【００５３】
１  照明装置
２  放電灯点灯装置
３  第二照明負荷
６  照明器具
７  照明負荷
３０  発光回路
３１  直流電源回路
５１  制御部
Ｃ６  コンデンサ
Ｌａ  放電灯
ＴＲ  トライアック
【図１】
2008243501.tif 000003
【図２】
2008243501.tif 000004
【図３】
2008243501.tif 000005
【図４】
2008243501.tif 000006
【図５】
2008243501.tif 000007
【図６】
2008243501.tif 000008
【図７】
2008243501.tif 000009
【図８】
2008243501.tif 000010
【図９】
2008243501.tif 000011
【図１０】
2008243501.tif 000012
【図１１】
2008243501.tif 000013
【図１２】
2008243501.tif 000014
【図１３】
2008243501.tif 000015
【図１４】
2008243501.tif 000016
【図１５】
2008243501.tif 000017